(57)【要約】【課題】ゴーグルの使用後に、眼下部または前頭額のおでこ部に、ゴーグル跡のシワができやすくなる。寒い場所で使用し、ベルトでしっかりと絞めていることもあり、シワが残りやすくなる。また、装着中に強い圧迫感を感じやすくなる。本発明は、シワを軽減し装着中の圧迫感の軽減するものである。【解決手段】ゴーグルと顔との接触部に柔軟性部材を使用し、顔との接触領域を広げるパッドを付けることによって、ゴーグル使用時のシワを軽減し、ゴーグル使用時の圧迫感を軽減できる。【選択図】図４
2017113500.tif 000002
【特許請求の範囲】
【請求項１】
ゴーグルの顔との接触部に、前記接触部の面積より広い柔軟性部材を有するゴーグル用シワ防止パッド。
【請求項２】
ゴーグル本体と、前記ゴーグル本体の内側の周縁部に設けられた柔軟性部材とからなり、前記柔軟性部材は、顔との接触部において、前記ゴーグル本体の周縁部の面積より広いシワ防止パッド付きゴーグル。
【発明の詳細な説明】
【技術分野】
【０００１】      本発明は、スキー、スノーボード、マリンスポーツなどにおいて使用するゴーグル用シワ防止パッドおよびシワ防止パッド付きゴーグルに関する。
【背景技術】
【０００２】      スキー、スノーボードなどにおいて使用するゴーグルは、雪によって視界を損なわれないよう為に使用される。また、冷気や紫外線からの保護のために使用されることもある。マリンスポーツなどで使用されるゴーグルは、特に眼を紫外線から保護するために使用される。【０００３】      一般的に、ゴーグルは、顔との接触部に、柔軟性部材であるスポンジやウレタンなどのパッドが取り付けられている。【０００４】      さらに、スキーやマリンスポーツを楽しんでいるときに、顔から落ちないように強力なベルトで頭に固定できるようになっている。
【発明の概要】
【発明が解決しようとする課題】
【０００５】      ゴーグルの使用後に、眼下部および前頭額部、おでこ部に、ゴーグル跡のシワができやすくなる。寒いところで使用し、強力なベルトでしっかりと絞めていることもあり、ハッキリとシワが残ることがある。【０００６】      本発明は、ゴーグルの使用後にできるシワを軽減することを目的とする。
【課題を解決するための手段】
【０００７】      本発明のゴーグル用シワ防止パッドは、ゴーグルの顔との接触部に、前記接触部の面積より広い柔軟性部材を有する。【０００８】      本発明のシワ防止パッド付きゴーグルは、ゴーグル本体と、前記ゴーグル本体の内側の周縁部に設けられた柔軟性部材とからなり、前記柔軟性部材は、顔との接触部において、前記ゴーグル本体の周縁部の面積より広い。
【発明の効果】
【０００９】      本発明によれば、ゴーグルの使用後にできるシワを軽減することができる。
【図面の簡単な説明】
【００１０】
【図１】左右側のゴーグル用シワ防止パッドの実施例を示す正面図。
【図２】前頭額部のゴーグル用シワ防止パッドの実施例を示す正面図。
【図３】図１のＡ−Ａ´線およびＢ−Ｂ´線における断面図。
【図４】ゴーグル用シワ防止パッドを装着したゴーグルを内側から見た図。
【図５】シワ防止パッド付きゴーグルの実施例を内側から見た図。
【発明を実施するための形態】
【００１１】      以下本発明の実施の形態を図面と共に説明する。
【００１２】      図１は、本発明の左右側のゴーグル用シワ防止パッドの実施例を示す正面図であって、左側眼下部シワ防止パッド１と右側眼下部シワ防止パッド２とを示している。
【００１３】      各眼下部シワ防止パッド１、２は、図３に断面図を示すように、表面に起毛生地４が貼り付けられた柔軟性部材５の裏面に、粘着シール６からなる離型紙が設けられている。
【００１４】      各眼下部シワ防止パッド１、２は、粘着シール６を剥がし、図４に示すように、ゴーグル８の左右の眼下部に貼って使用する。
【００１５】      各眼下部シワ防止パッド１、２は、図４に示すように、ゴーグル８の顔との接触部１３の面積より広い。各シワ防止パッド１、２は、ゴーグル８の内側の周縁部の接触部１３の幅より広い幅を有する。
【００１６】      図２は、前頭額部シワ防止パッド３の実施例を示す正面図であって、各眼下部シワ防止パッド１、２と同様に、表面に起毛生地４が貼り付けられた柔軟性部材５の裏面に、粘着シール６からなる離型紙が設けられている。
【００１７】      前頭額部シワ防止パッド３は、各眼下部シワ防止パッド１、２と同様に、粘着シール６を剥がし、図４に示すように、ゴーグル８の前頭部に貼って使用する。
【００１８】      前頭額部シワ防止パッド３は、各眼下部シワ防止パッド１、２と同様に、ゴーグル８の顔との接触部１３の面積より広い。前頭額部シワ防止パッド３は、図４に示すように、ゴーグル８の内側の周縁部の接触部１３の幅より広い幅を有する。
【００１９】    以上のようにして各眼下部シワ防止パッド１、２または前頭額部シワ防止パッド３が接触部１３に貼り付けて装着されたゴーグル８は、ゴーグルベルト７により頭部に強固に絞めつけて使用される。
【００２０】    本実施の形態のゴーグル用シワ防止パッドによれば、ゴーグル８が、ゴーグルベルト７により頭部に強固に絞めつけて使用されても、各眼下部シワ防止パッド１、２および前頭額部シワ防止パッド３が接触部１３に貼り付けられているため、フィット感や保温性が向上する。
【００２１】    また、各眼下部シワ防止パッド１、２および前頭額部シワ防止パッド３の面積が接触部１３の面積よりも広いため、使用後のシワが軽減される。
【００２２】    さらに、各眼下部シワ防止パッド１、２および前頭額部シワ防止パッド３は、表面に起毛生地４が貼り付けられているため、肌ざわりの非常に良い、ソフトな感触が得られる。
【００２３】    すなわち、本実施の形態のゴーグル用シワ防止パッドは、ゴーグルの内側の顔との接触部に元々取り付けられた柔軟性部材に対して、この柔軟性部材よりも幅の広い、言い換えると、ゴーグルの内側の周縁部の接触部の幅より広い、柔軟性部材を取り付けることにより、顔との接触領域を元の柔軟性部材との接触領域よりも広くすることができるので、ゴーグル使用後のシワの軽減とゴーグル使用中の圧迫感を軽減できる。
【００２４】    図５は、シワ防止パッド付きゴーグルの実施例を内側から見た図であって、シワ防止パッド付きゴーグル１２の内側の、顔の左右眼下部との接触部には、左側眼下部シワ防止パッド部９および右側眼下部シワ防止パッド部１０が設けられ、顔の前頭額部との接触部には、前頭額部シワ防止パッド部１１が設けられている。
【００２５】    各眼下部シワ防止パッド部９、１０は、ゴーグル１２の本体１４の面積より広い面積を有する。詳細には、本体１４の幅よりも広い幅を有する。
【００２６】    同様に、前頭額部シワ防止パッド部１１も、ゴーグル１２の本体１４の面積より広い面積を有する。詳細には、本体１４の幅よりも広い幅を有する。
【００２７】    本実施の形態のシワ防止パッド付きゴーグル１２によれば、ゴーグルベルト７により頭部に強固に絞めつけて使用されても、各眼下部シワ防止パッド部９、１０および前頭額部シワ防止パッド部１１が顔との接触部に形成されているため、フィット感や保温性が向上する。
【００２８】    また、各眼下部シワ防止パッド部９、１０および前頭額部シワ防止パッド部１１の面積が顔との接触部の面積よりも広いため、使用後のシワが軽減される。
【００２９】    さらに、各眼下部シワ防止パッド部９、１０および前頭額部シワ防止パッド部１１は、表面に起毛生地４が貼り付けられているため、肌ざわりの非常に良い、ソフトな感触が得られる。
【００３０】    すなわち、本実施の形態のシワ防止パッド付きゴーグルは、ゴーグル本体に対して、ゴーグル本体の内側の周縁部に設ける柔軟性部材を、ゴーグル本体の内側の周縁部の面積より広くすることにより、顔との接触領域を広くすることができるので、ゴーグル使用後のシワの軽減とゴーグル使用中の圧迫感を軽減できる。
【００３１】    近年、スキーやスノーボード、マリンスポーツなどが生涯スポーツとして認知され、日本も欧米並みに中高年のスキーヤーなどが増えてきた。若いころはゴーグルの使用後のシワはあまり気にならなかったが、年齢と共になかなか消えにくくなり、シワを気にするスキーヤーなどが多くなってきた。しかし、本発明により、シワを気にせずにゴーグルが使用できる。
【００３２】    また、ゴーグル装着時の違和感や圧迫感は、昔から多くのスキーヤー、スノーボーダー、あるいはマリンスポーツを楽しむ人たちが感じていた。しかし、本発明により、心地よい装着感を与えることができる。
【産業上の利用可能性】
【００３３】    本発明は、スキーヤー、スノーボーダー、あるいはマリンスポーツを楽しむ人たちが、シワが残らず心地よい装着感が得られるので、各種ゴーグルとして有用である。【００３４】    なお、上記各実施の形態では、各眼下部および前頭額部にバッドを設けた例を示したが、これらのうち少なくともいずれか１つの場所にパッドを設けることも可能である。
【符号の説明】
【００３５】  １  左側眼下部シワ防止パッド
２  右側眼下部シワ防止パッド
３  前頭額部シワ防止パッド
４  起毛生地
５  柔軟性部材
６  粘着シール
７  ゴーグルベルト
８  ゴーグル
９  左側眼下部シワ防止パッド部
１０  右側眼下部シワ防止パッド部
１１  前頭額部シワ防止パッド部
１２  シワ防止パッド付きゴーグル
１３  接触部
１４  本体
【図１】
2017113500.tif 000003
【図２】
2017113500.tif 000004
【図３】
2017113500.tif 000005
【図４】
2017113500.tif 000006
【図５】
2017113500.tif 000007